(57)【要約】【課題】移動時でも同一の周波数による地上波デジタル放送を長く視聴する。【解決手段】制御部１はＵＨＦ帯の各放送局のうちＰＳＩ／ＳＩが認識可能な放送局の物理チャンネル、放送局名、地域およびリモコンキーＩＤを取得する。制御部１は同一のリモコンキーＩＤと関わる放送局が複数ある場合には、これらの放送局のうち車両の現在位置の最寄りの放送局と所定時間後の行先位置の最寄りの放送局を検索する。制御部１は行先位置の最寄りの放送局からの電波の受信レベルが視聴可能なレベルであれば、前述した同一のリモコンキーＩＤが選局割当番号として入力された場合に行先位置の最寄りの放送局をチューナ部３に選局させる。【選択図】      図１
2007251261.tif 000002
【特許請求の範囲】
【請求項１】
放送電波を受信する受信手段と、
この受信手段により受信した電波のうち予め定められた各周波数帯の電波に含まれる当該周波数帯の情報と選局割当番号とを抽出する抽出手段と、
この抽出手段が抽出した情報においてお互いに同一の選局割当番号を有する周波数帯が存在するか否かを判別する判別手段と、
前記車両の移動先の位置を検出する移動先検出手段と、
前記定められた各周波数帯の情報とこの周波数帯による電波の送信元である放送局の位置情報とを関連付けて記憶する記憶手段と、
前記同一の選局割当番号を有する周波数帯が存在すると前記判別手段が判別した場合に、当該選局割当番号と関連付けられる各周波数帯のうち前記移動先検出手段が検出した位置の最寄りの放送局の周波数帯の情報を前記記憶手段から検索する周波数検索手段と、
前記選局割当番号の入力を受け付ける入力手段と、
この入力手段が前記同一の選局割当番号を入力した場合に、前記周波数検索手段が検索した周波数帯の電波を前記受信手段により受信した電波から選局する選局手段と
を備えたことを特徴とする地上波デジタル放送車載受信装置。
【請求項２】
前記車両の現在位置を検出する位置検出手段と、
前記車両の進行方向を検出する方向検出手段と、
前記車両の走行速度を検出する速度検出手段とをさらに備え、
前記移動先検出手段は、前記位置検出手段が検出した現在位置、前記方向検出手段が検出した進行方向および前記速度検出手段が検出した走行速度をもとに前記車両の移動先の位置を検出する
ことを特徴とする請求項１に記載の地上波デジタル放送車載受信装置。
【請求項３】
前記車両の現在位置を検出する位置検出手段と、
前記車両の目的地の入力を受け付ける目的地入力手段と、
前記車両の走行速度を検出する速度検出手段とをさらに備え、
前記移動先検出手段は、前記位置検出手段が検出した現在位置、前記目的地入力手段が入力した目的地および前記速度検出手段が検出した走行速度をもとに前記車両の移動先の位置を検出する
ことを特徴とする請求項１に記載の地上波デジタル放送車載受信装置。
【請求項４】
前記車両の現在位置を検出する位置検出手段をさらに備え、
前記周波数検索手段は、前記同一の選局割当番号を有する周波数帯が存在すると前記判別手段が判別した場合に、当該選局割当番号と関連付けられる各周波数帯のうち前記位置検出手段が検出した現在位置の最寄りの放送局の周波数帯の情報を前記記憶手段からさらに検索し、
前記周波数検索手段が検索した各周波数帯の電波に含まれる情報の視聴の可否を周波数帯ごとに判別する視聴判別手段をさらに備え、
前記選局手段は、前記周波数検索手段が検索した周波数帯のうち前記移動先の位置の最寄りの放送局の周波数帯の電波に含まれる情報が視聴可能であると前記視聴判別手段が判別した場合には、この放送局の周波数帯の電波を前記受信手段により受信した電波から選局し、前記移動先の位置の最寄りの放送局の周波数帯の電波に含まれる情報が視聴不能であって前記現在位置の最寄りの放送局の周波数帯の電波に含まれる情報が視聴可能であると前記視聴判別手段が判別した場合には、前記現在位置の最寄りの放送局の周波数帯の電波を前記受信手段により受信した電波から選局する
ことを特徴とする請求項１に記載の地上波デジタル放送車載受信装置。
【請求項５】
前記位置検出手段が検出した現在位置、前記目的地入力手段が入力した目的地および前記速度計算手段が計算した走行速度をもとに前記移動先検出手段が検出した前記車両の移動先の位置までの当該車両の所要時間を計算する時間計算手段をさらに備え、
前記選局手段は、この時間計算手段により計算した時間が予め定められた基準時間を超える場合に前記現在位置の最寄りの放送局の周波数帯の電波を前記受信手段により受信した電波から選局し、前記時間計算手段により計算した時間が前記基準時間以下である場合に前記移動先の位置の最寄りの放送局の周波数帯の電波を前記受信手段により受信した電波から選局する
ことを特徴とする請求項２に記載の地上波デジタル放送車載受信装置。
【請求項６】
地図情報を記憶する地図情報記憶手段と、
この地図情報記憶手段に記憶された情報をもとに前記車両の現在位置が属する地域を判別する地域判別手段とをさらに備え、
前記移動先検出手段は、前記位置検出手段が検出した現在位置、前記目的地入力手段が入力した目的地および前記地図情報記憶手段に記憶された情報をもとに、前記車両が位置する地域が前記地域判別手段が判別した地域と異なる地域に切り替わる際の位置を前記移動先の地域として検出する
ことを特徴とする請求項５に記載の地上波デジタル放送車載受信装置。
【発明の詳細な説明】
【技術分野】
【０００１】
本発明は、地上波デジタル放送電波を受信する機能を有する地上波デジタル放送車載受信装置に関する。
【背景技術】
【０００２】
従来、地上波デジタル放送電波を受信する地上波デジタル放送受信装置（例えば特許文献１参照）が運用されている。この装置は映像情報、音声情報、データ放送用の情報などが多重化された放送電波を受信して、この放送電波に含まれる映像情報、音声情報およびデータ放送用の情報を再生する。
【０００３】
地上波デジタル放送受信装置は例えばリモコンなどに備えられるチャンネル選択釦が押下された際に選局する周波数を設定するための割当処理を行なう。チャンネル選択釦には個別の番号が割り当てられる。
【０００４】
各放送局からの放送電波には、この放送電波の周波数および割当番号の情報が含まれる。地上波デジタル放送受信装置は電波を受信した際に放送電波周波数帯の全域について、周波数帯および当該周波数帯に関する割当番号の情報を抽出し、この情報を関連付けて内部の記憶装置に記憶する。
【０００５】
この後、地上波デジタル放送受信装置は、ユーザに押下されたチャンネル選択釦に割り当てられる割当番号と関連付けられる周波数の情報を記憶装置から抽出し、この周波数の電波を選局する。
【特許文献１】特開２００２−３５９８２５号公報
【発明の開示】
【発明が解決しようとする課題】
【０００６】
地上波デジタル放送受信装置が据え置き式の装置であって受信位置が固定である場合には、前述した割当処理は通常は一度でよい。しかし、地上波デジタル放送受信装置が車載式の装置であって車両の移動によって受信位置が変化すると受信可能な周波数が変化する。
【０００７】
このような場合には、車載式の地上波デジタル放送受信装置は、車両が移動した事によりチャンネル選択釦を押下しても映像や音声が視聴不能となった場合にユーザによる操作にしたがって前述した割当処理を再度行なう必要がある。
【０００８】
つまり、車両が移動して放送電波の周波数のうち受信可能な周波数が変化するたびに割当処理が必要になる。しかし、割当処理の開始から終了まではある程度の時間を必要とし、この間、ユーザは放送を視聴できない。
【０００９】
そこで、本発明の目的は、移動時でも同一の周波数による放送を長く視聴させることが可能になる地上波デジタル放送車載受信装置を提供することにある。
【課題を解決するための手段】
【００１０】
すなわち、本発明に係わる地上波デジタル放送車載受信装置は、放送電波を受信する受信手段を備え、この受信した電波のうち予め定められた各周波数の電波に含まれる当該周波数と選局割当番号とを抽出し、この抽出した情報にお互いに同一の選局割当番号を有する周波数帯が存在するか否か判別し、車両の移動先の位置を検出し、定められた各周波数とこの周波数による電波の送信元である放送局の位置情報とを関連付けて記憶しておき、同一の選局割当番号を有する周波数帯が存在すると判別された場合に、当該選局割当番号と関連付けられる周波数のうち移動先の位置の最寄りの放送局の周波数を検索し、前述した同一の選局割当番号を入力した場合に、検索済みの最寄りの放送局の周波数の電波を受信済の電波から選局することを特徴とする。
【発明の効果】
【００１１】
本発明に係わる地上波デジタル放送車載受信装置では、移動時でも同一の周波数による放送を長く視聴させることができる。
【発明を実施するための最良の形態】
【００１２】
以下図面により本発明の実施形態について説明する。  
（第１の実施形態）
まず、本発明の第１の実施形態について説明する。  
図１は本発明の第１の実施形態にしたがった地上波デジタル放送受信装置の構成例を示すブロック図である。
【００１３】
この地上波デジタル放送受信装置は車両に搭載される装置である。この地上波デジタル放送受信装置は制御部１、ＴＶ（テレビ）アンテナ２、チューナ部３、分離部（デマルチプレクサ部）４、映像デコーダ５、音声デコーダ６、表示部（モニタ）１１、音声再生部（スピーカ）１２、解析部１３、入力部１４、記憶部１５、カーナビゲーション装置１６および車速センサ１８を備える。
【００１４】
制御部１は装置全体の動作を司る。制御部１は現在時刻の計時機能を有する。入力部１４は各種キーや操作スイッチからなる。入力部１４は選局割当番号の入力を受け付けるための選局釦を有する。また、入力部１４は１から１２までの１２種類の選局割当番号のそれぞれに対応したワンタッチ式の選局釦を有する。
【００１５】
チューナ部３はＴＶアンテナ２が受信した地上波デジタルテレビ放送の放送電波から予め選択された放送局の電波を選局する。分離部４は選局された電波を復調してテレビ映像信号、テレビ音声信号およびＰＳＩ／ＳＩ（Program Specific Information／Service Information）などに分離する。
【００１６】
ＰＳＩ／ＳＩは各放送局からの電波に含まれる情報である。ＰＳＩ／ＳＩは物理チャンネルの情報、放送局名の情報を含む。物理チャンネルとは送信電波の予め定められた放送用周波数帯に固有の識別情報である。ここでは物理チャンネルとはＵＨＦ（Ultra High Frequency）帯の第１３チャンネルから第６２チャンネルまでの５０種類の周波数帯のいずれかの識別情報を指す。
【００１７】
また、ＰＳＩ／ＳＩはＮＩＴ（Network Information Table）を含む。ＮＩＴには地域情報やリモコンキーＩＤ（remote control key id）などが記述される。地域情報はＰＳＩ／ＳＩの送信元の放送局の地域を示す情報である。リモコンキーＩＤは入力部１４が入力する選局割当番号に対応する情報である。制御部１が後述する割当処理を行なった後でユーザが入力部１４の選局釦を操作することで選局割当番号が入力されると、この選局割当番号と同じ値のリモコンキーＩＤに対して割当処理により割り当てられた周波数の電波がチューナ部３により選局される。
【００１８】
映像デコーダ５は分離部４により分離されたテレビ映像信号を復号（デコード）して出力する。音声デコーダ６は前述したように分離されたテレビ音声信号を復号して出力する。映像デコーダ５から出力された信号は表示部１１に入力される。また、音声デコーダ６から出力された信号は音声再生部１２に入力される。
【００１９】
解析部１３は受信電波のスキャン処理を行なう。スキャン処理とはチューナ部３が受信した電波のＵＨＦ帯の第１３チャンネルから第６２チャンネルまでの全周波数帯を順次選局してＰＳＩ／ＳＩの認識を試行し、この結果認識できたＰＳＩ／ＳＩを解析して、これに含まれる各種情報を抽出する。また、解析部１３はチューナ部３が受信して選局した各チャンネルの電波の受信レベルを検出する。
【００２０】
記憶部１５には制御用のプログラム、地図情報、放送局情報管理テーブル、受信チャンネル管理テーブルおよび割当テーブルが記憶される。各種テーブルの詳細については後述する。地図情報とは全国の地図情報のイメージデータである。カーナビゲーション装置１６は図示しないＧＰＳ（Global Positioning System）衛星から送信された電波をＧＰＳアンテナ１７を介して受信し、車両の現在位置を検出する。
【００２１】
カーナビゲーション装置１６は目的地設定にかかる操作および現在位置から目的地までの経路検索要求にかかる操作が入力部１４に対してなされた場合には現在位置から目的地までの経路の検索を行なう。
【００２２】
カーナビゲーション装置１６は検索の結果得た経路情報、現在位置およびその周囲と対応する地図情報と重ね合わせた情報を含む信号を制御部１に出力する。経路情報とは例えば経路に沿った矢印などである。制御部１はカーナビゲーション装置１６からの信号を表示部１１に出力する。車速センサ１８は車両の車輪の回転軸に設けられ、当該車両の速度を検出する。また、制御部１はカーナビゲーション装置１６からの信号で示される経路情報や入力部１４により入力された目的地の情報を記憶部１５に記憶する。
【００２３】
図２は、本発明の第１の実施形態にしたがった地上波デジタル放送受信装置の記憶部に記憶される放送局情報管理テーブルの構成例を表形式で示す図である。  
本発明の第１の実施形態にしたがった地上波デジタル放送受信装置の記憶部１５には図２に示したような形式の放送局情報管理テーブルが記憶される。この放送局情報管理テーブルでは、全国の各地域名、この地域における各放送局（中継局も含む）、この放送局からの電波の物理チャンネルおよび当該放送局の緯度経度の情報が関連付けられて管理される。
【００２４】
次に、図１に示した構成の地上波デジタル放送受信装置の動作について説明する。図３は、本発明の第１の実施形態にしたがった地上波デジタル放送受信装置の処理動作の一例を示すフローチャートである。
【００２５】
まず、チューナ部３はＴＶアンテナ２を介して電波を受信している状態で（ステップＳ１）、制御部１は受信電波のスキャン処理を行なうためにチューナ部３に対してＵＨＦ帯の第１３チャンネルの選局指示を行なう。するとチューナ部３は第１３チャンネルの電波の選局を行なう。分離部４はこの選局された電波を復調して分離してＰＳＩ／ＳＩが得られた場合、これを示す信号を解析部１３に出力する。また、チューナ部３は選局した電波の電界強度を検出し、この電界強度を示す信号を制御部１に出力する。
【００２６】
解析部１３は分離部４からのＰＳＩ／ＳＩに含まれる物理チャンネル情報、放送局名、地域名、リモコンキーＩＤの抽出を試み、この結果全ての情報が抽出できた場合には、これらの情報を示す信号を制御部１に出力する。制御部１は解析部１３からの信号で示される各種情報を記憶部１５内の受信チャンネル管理テーブルに反映する。また、制御部１はチューナ部３からの信号で示される電界強度を数値化し、この数値化した情報を受信レベルの情報として、前述したように反映した情報と関連付けて受信チャンネル管理テーブルに反映する。
【００２７】
図４は、本発明の第１の実施形態にしたがった地上波デジタル放送受信装置の記憶部に記憶される受信チャンネル管理テーブルの構成例を表形式で示す図である。  
図４に示すように、受信チャンネル管理テーブルでは解析部１３が抽出した物理チャンネル情報、放送局名、地域名、リモコンキーＩＤおよび受信レベルの情報が関連付けられて物理チャンネルごとに管理される。
【００２８】
制御部１は解析部１３からの情報を受信チャンネル管理テーブルに反映した後、または電波の受信状態が悪いなどの理由で一定時間経過後も解析部１３からのＰＳＩ／ＳＩ中の各種情報が入力されない場合には、現在選局している物理チャンネルの次のチャンネルの選局指示を行なう。以下、同様の処理をＵＨＦ帯の第６２チャンネルまで繰り返す。
【００２９】
この結果、記憶部１５内の受信チャンネル管理テーブルにはＰＳＩ／ＳＩが得られた各チャンネルの電波に含まれる各種情報である物理チャンネル情報、放送局名、地域名、リモコンキーＩＤおよび受信レベルが反映される（ステップＳ２）。制御部１はスキャン処理の終了後、記憶部１５内の受信チャンネル管理テーブル上に同一のリモコンキーＩＤが競合するか否かを判別する（ステップＳ３）。この場合同一のリモコンキーＩＤに受信チャンネル管理テーブル上で関連付けられる物理チャンネルの情報が複数存在することになる。
【００３０】
制御部１は受信チャンネル管理テーブル上に同一のリモコンキーＩＤが競合すると判別した場合（ステップＳ３のＹＥＳ）、カーナビゲーション装置１６が得た現在位置の情報を入力する（ステップＳ４）。
【００３１】
図４に示した例では各放送局のうち「北海道（函館）」、「北海道（札幌）」および「北海道（旭川）」での同一系列放送局である「ＢＣ＊教育」のリモコンキーＩＤ「２」が受信チャンネル管理テーブル上で重複し、「北海道（函館）」、「北海道（札幌）」および「北海道（旭川）」での同一系列放送局である「ＢＣ＊総合」のリモコンキーＩＤ「３」が受信チャンネル管理テーブル上で重複する。
【００３２】
そして、制御部１はカーナビゲーション装置１６が得た車両の進行方向の情報および車速センサ１８が得た車両の走行速度の情報を入力する（ステップＳ５）。制御部１はカーナビゲーション装置１６からの現在位置、進行方向および車速センサ１８からの走行速度をもとに、記憶部１５に記憶された予め定められた時間が経過した後の車両の位置を当該車両の行先位置として判別する（ステップＳ６）。
【００３３】
制御部１は前述した競合するリモコンキーＩＤと関連付けられる各物理チャンネルの情報を記憶部１５内の受信チャンネル管理テーブル（図４参照）から検索する。これら検索された各物理チャンネルの集合を競合物理チャンネルと称する。
【００３４】
図４に示した例では競合物理チャンネルは２種類である。１種類目の競合物理チャンネルは図２に示したテーブルで示される物理チャンネルのうちリモコンキーＩＤ「２」と対応する第１３チャンネル、第２３チャンネルおよび第３３チャンネルである。また、２種類目の競合物理チャンネルはリモコンキーＩＤ「３」と対応する第１５チャンネル、第２５チャンネルおよび第３５チャンネルである。
【００３５】
制御部１はカーナビゲーション装置１６からの現在位置の情報ならびに受信チャンネル管理テーブル中の１種類の競合物理チャンネルに属する各物理チャンネル、当該物理チャンネルの放送局名および地域名の情報ならびに記憶部１５内の放送局情報管理テーブル（図２参照）中の情報を照合することで１種類の競合物理チャンネルに属する各物理チャンネルの放送局のうち前述のように入力した現在位置の最寄りの放送局の緯度経度の情報を放送局情報管理テーブルから検索する（ステップＳ７）。
【００３６】
また、制御部１は前述のように判別した車両の行先位置の情報ならびに受信チャンネル管理テーブル中の前述した競合物理チャンネルに属する各物理チャンネル、当該物理チャンネルの放送局名および地域名の情報ならびに記憶部１５内の放送局情報管理テーブル（図２参照）中の情報を照合することで、前述した競合物理チャンネルに属する各物理チャンネルの放送局のうち前述のように判別した行先位置の最寄りの放送局の緯度経度の情報を放送局情報管理テーブルから検索する（ステップＳ８）。
【００３７】
制御部１は前述した行先位置の最寄りの放送局の物理チャンネルの情報に受信チャンネル管理テーブル上で関連付けられる受信レベルの情報を検索し、この受信レベルが予め定められた基準を満たしていれば行先位置の最寄りの放送局からの放送をユーザが視聴可能であるとみなし（ステップＳ９のＹＥＳ）、この放送局の物理チャンネルの情報およびこれと関連付けられるリモコンキーＩＤを受信チャンネル管理テーブル(図４参照)から検索する。制御部１はこれら検索した情報を記憶部１５内の割当テーブルに反映させる（ステップＳ１０，Ｓ１３）。
【００３８】
制御部１はステップＳ１３の処理後、受信チャネル管理テーブル上に競合物理チャンネルが複数種類ある場合には前述した緯度経度情報の検索および割当テーブルへの反映処理を競合物理チャンネルのそれぞれについて繰り返す。この後、制御部１は前述した競合物理チャンネル以外の各物理チャンネルおよびこれと関連付けられるリモコンキーＩＤを受信チャンネル管理テーブル(図４参照)から検索し、これらの情報を記憶部１５内の割当テーブルに反映させる。
【００３９】
図５は本発明の第１の実施形態にしたがった地上波デジタル放送受信装置の記憶部に記憶される割当テーブルの構成例を表形式で示す図である。  
図５に示すように割当テーブルでは物理チャンネルの情報とリモコンキーＩＤが関連付けて管理される。
【００４０】
図５に示した割当テーブル中のリモコンキーＩＤ「２」と関連付けられる物理チャンネルは、前述した行先位置の最寄りの放送局である「北海道（旭川）」の「ＢＣ＊教育」の物理チャンネルであって、リモコンキーＩＤ「３」と関連付けられる物理チャンネルは、前述した行先位置の最寄りの放送局である「北海道（旭川）」の「ＢＣ＊総合」の物理チャンネルである。また、図５に示した割当テーブルで示される各物理チャンネルに対応する放送電波の車両での受信レベルはユーザが車両で視聴可能なレベルである。
【００４１】
一方、制御部１は前述したように検索した行先位置の最寄りの放送局の物理チャンネルと受信チャンネル管理テーブル（図４参照）上で関連付けられる受信レベルが予め定められた基準を満たしていなければ行先位置の最寄りの放送局からの放送はユーザが視聴不能であるとみなし（ステップＳ９のＮＯ）、前述した現在位置の最寄りの放送局の物理チャンネルの情報に受信チャンネル管理テーブル（図４参照）上で関連付けられる受信レベルの情報を検索する。
【００４２】
制御部１はこの受信レベルが前述した基準を満たしていれば現在位置の最寄りの放送局からの放送をユーザが視聴可能であるとみなし（ステップＳ１１のＹＥＳ）、この放送局の物理チャンネルの情報およびこれと関連付けられるリモコンキーＩＤを受信チャンネル管理テーブルから検索する。制御部１はこれら検索した情報を記憶部１５内の割当テーブルに反映させる（ステップＳ１２，Ｓ１３）。
【００４３】
一方、制御部１は現在位置の最寄りの放送局の物理チャンネルの情報に受信チャンネル管理テーブル（図４参照）上で関連付けられる受信レベルが予め定められた基準を満たしていなければ現在位置の最寄りの放送局からの放送はユーザが視聴不能であるとみなし（ステップＳ１１のＮＯ）、競合物理チャンネルおよびこれと関わるリモコンキーＩＤの割当テーブルへの反映を行なわずに、前述した競合物理チャンネル以外の各物理チャンネルおよびこれと関連付けられるリモコンキーＩＤを受信チャンネル管理テーブル(図４参照)から検索し、これらの情報を記憶部１５内の割当テーブルに反映させる（ステップＳ１３）。
【００４４】
そして、ユーザが入力部１４の選局釦を操作することで選局割当番号の入力を受け付けると、制御部１はこの選局割当番号と同じリモコンキーＩＤと関連付けられる物理チャンネルの情報を割当テーブルから読出し、この物理チャンネルへの選局をチューナ部３に指示する。
【００４５】
図６は、本発明の第１の実施形態にしたがった地上波デジタル放送受信装置と各放送局との位置関係を示す図である。  
図６に示した例では、現在位置Ａに近い放送局は「北海道（札幌）」の「ＢＣ＊教育」および「ＢＣ＊総合」であるが、実際に選局される放送局は行先位置Ｂに近い「北海道（旭川）」の「ＢＣ＊教育」および「ＢＣ＊総合」であることを示す。
【００４６】
以上のように、本発明の第１の実施形態にしたがった地上波デジタル放送受信装置ではＰＳＩ／ＳＩが認識可能な放送局のうち同一のリモコンキーＩＤに対応する放送局が競合する場合でも、これら競合する放送局のうち行先位置の最寄りの放送局からの放送が視聴可能であれば当該放送局が選局されることになるので、車両が行先位置まで移動してからスキャン処理を再度行なう必要がなくなる。よってスキャン処理の回数が減少することになり、ユーザによる放送の視聴が中断される頻度が減少する。
【００４７】
この実施形態では受信チャンネル管理テーブル上の競合物理チャンネルに属する各物理チャンネルに関わる放送局の地域がそれぞれ異なると説明したが、これに限らず、競合物理チャンネルに属する競合物理チャンネルは例えば同一地域内の放送局の通常の送信局の物理チャンネルおよび当該送信局からの放送の難視聴解消のための同一系列放送局の中継局の物理チャンネルの組み合わせであってもよい。
【００４８】
（第２の実施形態）
次に、本発明の第２の実施形態について説明する。なお、本実施形態に係る地上波デジタル放送受信装置の構成は図１に示したもの同様であるのでその説明は省略する。  
図７は本発明の第２の実施形態にしたがった地上波デジタル放送受信装置の処理動作の一例を示すフローチャートである。
【００４９】
まず、前述したステップＳ１〜Ｓ４までの処理がなされた上で（ステップＳ２１，Ｓ２２，Ｓ２３→Ｓ２４）、制御部１が車両の目的地の情報を記憶部１５から読み出す（ステップＳ２５）と、制御部１は現在位置から目的地までの経路の情報と地図情報を記憶部１５から読み出す。制御部１は車両の現在位置、目的地および当該目的地までの経路の情報ならびに記憶部１５に記憶される地図情報を照合することで、地図情報上で区分された地域のうち車両が現在位置している地域に隣接する地域への進入位置を判別する（ステップＳ２６）。ここでは車両が現在位置する地域と目的地の地域とが異なると仮定する。
【００５０】
そして、制御部１は競合物理チャンネルの情報を記憶部１５内の受信チャンネル管理テーブル（図４参照）から検索する。制御部１はカーナビゲーション装置１６からの現在位置の情報ならびに受信チャンネル管理テーブル中の１種類の競合物理チャンネルに属する各物理チャンネル、当該物理チャンネルの放送局名および地域名の情報ならびに記憶部１５内の放送局情報管理テーブル（図２参照）中の情報を照合することで、前述した競合物理チャンネルに属する各物理チャンネルの情報と関連付けられる緯度経度のうち現在位置の最寄りの放送局の緯度経度の情報を放送局情報管理テーブルから検索する（ステップＳ２７）。
【００５１】
また、制御部１は前述したように判別した車両の進入位置の情報ならびに受信チャンネル管理テーブル中の前述した競合物理チャンネルに属する各物理チャンネル、当該物理チャンネルの放送局名および地域名の情報ならびに記憶部１５内の放送局情報管理テーブル（図２参照）中の情報を照合することで、前述した競合物理チャンネルに属する各物理チャンネルに属する各物理チャンネルの情報と関連付けられる緯度経度のうち進入位置の最寄りの放送局の緯度経度の情報を放送局情報管理テーブルから検索する（ステップＳ２８）。
【００５２】
制御部１は前述した進入位置の最寄りの放送局の物理チャンネルの情報に受信チャンネル管理テーブル上で関連付けられる受信レベルの情報を検索する。制御部１は、この受信レベルが予め定められた基準を満たしていれば進入位置の最寄りの放送局からの放送をユーザが視聴可能であるとみなし（ステップＳ２９のＹＥＳ）、前述した現在位置の最寄りの放送局の物理チャンネルの情報に受信チャンネル管理テーブル（図４参照）上で関連付けられる受信レベルの情報を検索する。
【００５３】
制御部１は、この受信レベルが予め定められた基準を満たしていれば現在位置の最寄りの放送局からの放送もユーザが視聴可能であるとみなし（ステップＳ３０のＹＥＳ）、車速センサ１８からの車両速度を入力し、目的地までの経路情報を記憶部１５から読み出す。制御部１は、この車両速度、目的地までの経路およびカーナビゲーション装置１６からの現在位置の情報をもとに車両の前述した進入位置への到達時刻を計算する（ステップＳ３１）。
【００５４】
制御部１は現在時刻を計時し、この現在時刻から進入位置への到達時刻までの時間、つまり進入位置まで車両が移動するための所要時間が記憶部１５に記憶された予め定められた基準時間を超えるか否かを判別する（ステップＳ３２）。
【００５５】
制御部１は車両の進入位置までの所要時間が前述した基準時間以下であると判別した場合（ステップＳ３２のＮＯ）、競合物理チャンネルのうち現在位置の最寄りの放送局の視聴可能時間が十分でないとみなし、進入位置の最寄りの放送局の物理チャンネルおよびこれと関連付けられるリモコンキーＩＤを受信チャンネル管理テーブル(図４参照)から検索する。制御部１はこれら検索した情報を記憶部１５内の割当テーブルに反映させる（ステップＳ３３，Ｓ３６）。
【００５６】
一方、制御部１は車両の進入位置までの所要時間が前述した基準時間を超えると判別した場合（ステップＳ３２のＹＥＳ）、競合物理チャンネルのうち現在位置の最寄りの放送局の視聴可能時間が十分にあるとみなし、この放送局の物理チャンネルおよびこれと関連付けられるリモコンキーＩＤを受信チャンネル管理テーブル(図４参照)から検索する。制御部１はこれら検索した情報を記憶部１５内の割当テーブルに反映させる（ステップＳ３５，Ｓ３６）。
【００５７】
競合物理チャンネルが複数種類ある場合には、前述した処理を競合物理チャンネルのそれぞれについて繰り返す。この後、制御部１は前述した競合物理チャンネル以外の物理チャンネルおよびこれと関連付けられるリモコンキーＩＤを受信チャンネル管理テーブル(図４参照)から検索し、これらの情報を記憶部１５内の割当テーブルに反映させる。
【００５８】
また、制御部１は前述した進入位置の最寄りの放送局の物理チャンネルの情報に受信チャンネル管理テーブル（図４参照）上で関連付けられる受信レベルが予め定められた基準を満たしていなければ進入位置の最寄りの放送局からの放送をユーザが視聴不能であるとみなし（ステップＳ２９のＮＯ）、前述した現在位置の最寄りの放送局の物理チャンネルの情報に受信チャンネル管理テーブル上で関連付けられる受信レベルの情報を検索する（ステップＳ３４）。
【００５９】
制御部１はこの受信レベルが予め定められた基準を満たしていれば現在位置の最寄りの放送局からの放送をユーザが視聴可能であるとみなし（ステップＳ３４のＹＥＳ）、この放送局の物理チャンネルおよびこれと関連付けられるリモコンキーＩＤを受信チャンネル管理テーブルから検索する。制御部１はこれら検索した情報を記憶部１５内の割当テーブル（図５参照）に反映させる（ステップＳ３５，Ｓ３６）。
【００６０】
一方、制御部１は現在位置の最寄りの放送局の物理チャンネルの情報に受信チャンネル管理テーブル上で関連付けられる受信レベルが予め定められた基準を満たしていなければ現在位置の最寄りの放送局からの放送をユーザが視聴不能であるとみなし（ステップＳ３４のＮＯ）、競合物理チャンネルおよびこれと関わるリモコンキーＩＤの割当テーブルへの反映を行なわずに、前述した競合物理チャンネル以外の各物理チャンネルおよびこれと関連付けられるリモコンキーＩＤを受信チャンネル管理テーブル(図４参照)から検索し、これらの情報を記憶部１５内の割当テーブルに反映させる（ステップＳ３６）。
【００６１】
図８は、本発明の第２の実施形態にしたがった地上波デジタル放送受信装置の現在位置の隣接地域への進入位置との関係を示す図である。  
図８に示した例では、位置Ｃでの現在時刻は１５時００分であり、現在地域である「北海道（札幌）」に隣接する地域「北海道（旭川）」への進入時刻は１６時１０分である。この位置は図８中の位置Ｄである。ここで記憶部１５に記憶される所要時間の基準時間が６０分であれば、現在時刻から進入時刻までの所要時間が基準時間を超えるので競合物理チャンネルのうち現在位置の最寄りの放送局が選局されることになる。また、車両の走行速度が速いなどの理由で進入時刻が１５時５０分となった場合には、現在時刻から進入時刻までの所要時間が基準時間以下となるので競合物理チャンネルのうち進入位置の最寄りの放送局が選局されることになる。よって、スキャン処理の回数を減らしてユーザによる同一放送の視聴可能時間を長くすることができる。
【００６２】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６３】
【図１】本発明の第１の実施形態にしたがった地上波デジタル放送受信装置の構成例を示すブロック図。
【図２】本発明の第１の実施形態にしたがった地上波デジタル放送受信装置の記憶部に記憶される放送局情報管理テーブルの構成例を表形式で示す図。
【図３】本発明の第１の実施形態にしたがった地上波デジタル放送受信装置の処理動作の一例を示すフローチャート。
【図４】本発明の第１の実施形態にしたがった地上波デジタル放送受信装置の記憶部に記憶される受信チャンネル管理テーブルの構成例を表形式で示す図。
【図５】本発明の第１の実施形態にしたがった地上波デジタル放送受信装置の記憶部に記憶される割当テーブルの構成例を表形式で示す図。
【図６】本発明の第１の実施形態にしたがった地上波デジタル放送受信装置と各放送局との位置関係を示す図。
【図７】本発明の第２の実施形態にしたがった地上波デジタル放送受信装置の処理動作の一例を示すフローチャート。
【図８】本発明の第２の実施形態にしたがった地上波デジタル放送受信装置の現在位置の隣接地域への進入位置との関係を示す図。
【符号の説明】
【００６４】
１…制御部、２…ＴＶアンテナ、３…チューナ部、４…分離部（デマルチプレクサ部）、５…映像デコーダ、６…音声デコーダ、１１…表示部、１２…音声再生部、１３…解析部、１４…入力部、１５…記憶部、１６…カーナビゲーション装置、１７…ＧＰＳアンテナ、１８…車速センサ。
【図１】
2007251261.tif 000003
【図２】
2007251261.tif 000004
【図３】
2007251261.tif 000005
【図４】
2007251261.tif 000006
【図５】
2007251261.tif 000007
【図６】
2007251261.tif 000008
【図７】
2007251261.tif 000009
【図８】
2007251261.tif 000010